(57)【特許請求の範囲】
【請求項１】
一側部に開口した湯分岐孔(M1)および他側部に開口した水分岐孔(M2)を有する混合水栓(M)のいずれか一方の分岐孔(M2)から、該分岐孔(M2)とは反対の側に設置される水使用機器(D)へ配管する際に用いられる分岐継手(101)であって、
一端部に前記一方の分岐孔(M2)に接続される分岐孔接続口部(21)を有し、他端部が閉鎖され、かつ長さ中間部に外周面に開口した連通孔(22)を有する第１継手部材(2)と、
一端部に他方の分岐孔(M1)に嵌め込まれる分岐孔閉栓部(31)を有し、他端部に分岐管(P)の基端部が接続される分岐管接続口部(32)を有し、かつ長さ中間部に外周面に開口した連通孔(33)を有する第２継手部材(3)と、
両端部が前記連通孔(22)(33)に通じるように第１継手部材(2)および第２継手部材(3)に接続される第３継手部材(4)とを備えている、混合水栓用分岐継手。
【請求項２】
第１継手部材(2)は、その他端部に、第２継手部材(3)の分岐管接続口部(32)に接続される分岐管(P)とは別の分岐管の基端部を接続し得る分岐管接続口部(24)を有しており、該接続口部(24)が、これに着脱自在に取り付けられた閉鎖部材(25)によって閉鎖されている、請求項１記載の混合水栓用分岐継手。
【請求項３】
混合水栓(M)の各分岐孔(M1)(M2)が雌ネジ(M11)(M21)を有しており、該雌ネジ(M11)(M21)にねじ込まれる雄ネジ(21a)(31a)が第１継手部材(2)の分岐孔接続口部(21)および第２継手部材(3)の分岐孔閉栓部(31)に設けられ、第３継手部材(4)は、その両端部に、第１継手部材(2)および第２継手部材(3)の長さ中間部が回動自在に嵌め入れられる接続筒部(41)を有している、請求項１または２記載の混合水栓用分岐継手。
【請求項４】
一側部に開口した湯分岐孔(M1)および他側部に開口した水分岐孔(M2)のうち少なくとも一方を有する混合水栓(M)のいずれか１つの分岐孔(M2)から、該分岐孔(M2)とは反対の側に設置される水使用機器(D)へ配管する際に用いられる分岐継手(102)であって、
一端部に前記分岐孔(M2)に接続される分岐孔接続口部(21)を有し、他端部が閉鎖され、かつ長さ中間部に外周面に開口した連通孔(22)を有する第１継手部材(2)と、
一端部が前記連通孔(22)に通じるように第１継手部材(2)に接続され、この一端部から前記分岐孔(M2)とは反対の側に向かって折れ曲がり、かつ他端部に分岐管(P)の基端部が接続される分岐管接続口部(51)を有する第２継手部材(5)とを備えている、混合水栓用分岐継手。
【請求項５】
第１継手部材(2)は、その他端部に、第２継手部材(5)の分岐管接続口部(51)に接続される分岐管(P)とは別の分岐管の基端部を接続し得る分岐管接続口部(24)を有しており、該接続口部(24)が、これに着脱自在に取り付けられた閉鎖部材(25)によって閉鎖されている、請求項４記載の混合水栓用分岐継手。
【請求項６】
混合水栓(M)の前記分岐孔(M2)が雌ネジ(M21)を有しており、該雌ネジ(M2)にねじ込まれる雄ネジ(21a)が第１継手部材(2)の分岐孔接続口部(21)に設けられ、第２継手部材(5)は、その一端部に、第１継手部材(2)の長さ中間部が回動自在に嵌め入れられる接続筒部(52)を有している、請求項４または５記載の混合水栓用分岐継手。
【請求項７】
一側部に開口した湯分岐孔(M1)および他側部に開口した水分岐孔(M2)のうち少なくとも一方を有する混合水栓(M)のいずれか１つの分岐孔(M2)から、該分岐孔(M2)とは反対の側に設置される水使用機器(D)へ配管する際に用いられる分岐継手(103)であって、
一端部に前記分岐孔(M2)に接続される分岐孔接続口部(21)を有し、他端部が閉鎖され、かつ長さ中間部に外周面に開口した連通孔(22)を有する第１継手部材(2)と、
一端部が前記連通孔(22)に通じるように第１継手部材(2)に接続され、この一端部から第１継手部材(2)と交差する方向に延び、他端部が閉鎖され、かつ長さ中間部に外周面に開口した連通孔(61)を有する第２継手部材(6)と、
一端部に第２継手部材(6)の長さ中間部が回動自在に嵌め入れられる接続筒部(71)を有し、この一端部から前記分岐孔(M2)とは反対の側に向かって延び、かつ他端部に分岐管(P)の基端部が接続される分岐管接続口部(72)を有する第３継手部材(7)とを備えている、混合水栓用分岐継手。
【請求項８】
第１継手部材(2)は、その他端部に、第３継手部材(7)の分岐管接続口部(72)に接続される分岐管(P)とは別の分岐管の基端部を接続し得る分岐管接続口部(24)を有しており、該接続口部(24)が、これに着脱自在に取り付けられた閉鎖部材(25)によって閉鎖されている、請求項７記載の混合水栓用分岐継手。
【請求項９】
混合水栓(M)の前記分岐孔(M2)が雌ネジ(M21)を有しており、該雌ネジ(M21)にねじ込まれる雄ネジ(21a)が第１継手部材(2)の分岐孔接続口部(21)に設けられ、第２継手部材(6)は、その一端部に、第１継手部材(2)の長さ中間部が回動自在に嵌め入れられる接続筒部(62)を有している、請求項７または８記載の混合水栓用分岐継手。
【発明の詳細な説明】
【０００１】
【発明の属する技術分野】
本発明は、湯分岐孔および／または水分岐孔を有する混合水栓から食器洗い機や浄水器等の水使用機器への配管に用いられる分岐継手に関する。
【０００２】
【従来の技術】
例えば台所の流し台の上に食器洗い機や浄水器を設置する場合、流し台用の混合水栓から取り出した湯または水を使用するのが一般的である。
【０００３】
図５〜７は、台所の流し台(S)における混合水栓(M)から食器洗い機(D)への分岐配管構造の従来例を示すものである（例えば、特許文献１参照）。混合水栓(M)は、シングルレバー式のものであって、流し台(S)の天板(S1)における水槽(S2)の後方部分に取り付けられている。この混合水栓(M)は、左側部に開口した湯分岐孔(M1)と、右側部に開口した水分岐孔(M2)とを有している。湯分岐孔(M1)は、混合水栓本体(M10)内の湯導入路(M3)に通じており、水分岐孔(M2)は、混合水栓本体(M10)内の水導入路(M4)に通じている。両分岐孔(M1)(M2)は、雌ネジ(M11)(M21)を有している。一方、食器洗い機(D)は、流し台(S)の天板(S1)における水槽(S2)の左側部分に設置されている。そして、混合水栓(M)の水分岐孔(M2)に分岐継手(500)を介して分岐管(P)の基端部が接続され、分岐管(P)の先端部が食器洗い機(D)の水導入口（図示略）に接続されている。分岐継手(500)の左端部には、水分岐孔(M2)の雌ネジ(M21)にねじ込まれる雄ネジ(501a)を有する分岐孔接続口部(501)が形成されている。分岐継手(500)の右端部には、雄ネジ(502a)を有する分岐管接続口部(502)が形成されている。分岐管接続口部(502)には、一端部に分岐管接続口部(502)の雄ネジ(502a)にねじ嵌められる袋ナット(601)を有しかつ他端部に雄型継手（図示略）を有する開閉バルブ(600)を介して、雌型継手(P1)を有する分岐管(P)の基端部が着脱自在に接続されている。混合水栓(M)の湯分岐孔(M1)は、該分岐孔(M1)の雌ネジ(M11)にねじ込まれる雄ネジ(P1)を有する栓(P)により、閉鎖されている。
【０００４】
【特許文献１】
特開２００１−３２３５２６号公報
【０００５】
【発明が解決しようとする課題】
しかしながら、上述した分岐配管構造にあっては、図７に示すように食器洗い機(D)が混合水栓(M)の水分岐孔(M2)とは反対の側に設置されている場合、ホース等よりなる分岐管(P)が折れ曲がって、通水不良を起こしたり、開閉バルブ(600)のハンドル(602)と干渉するおそれがあった。
【０００６】
本発明の目的は、分岐管を接続すべき混合水栓の湯または水分岐孔とは反対の側に水使用機器が設置される場合であっても、分岐管が折れ曲がることなく配管することが可能な分岐継手を提供することにある。
【０００７】
【課題を解決するための手段および発明の効果】
本発明による第１の混合水栓用分岐継手は、一側部に開口した湯分岐孔および他側部に開口した水分岐孔を有する混合水栓のいずれか一方の分岐孔から、該分岐孔とは反対の側に設置される水使用機器へ配管する際に用いられるものであって、
一端部に前記一方の分岐孔に接続される分岐孔接続口部を有し、他端部が閉鎖され、かつ長さ中間部に外周面に開口した連通孔を有する第１継手部材と、
一端部に他方の分岐孔に嵌め込まれる分岐孔閉栓部を有し、他端部に分岐管の基端部が接続される分岐管接続口部を有し、かつ長さ中間部に外周面に開口した連通孔を有する第２継手部材と、
両端部が前記連通孔に通じるように第１継手部材および第２継手部材に接続される第３継手部材とを備えている。
【０００８】
上記の混合水栓用分岐継手にあっては、分岐管の基端部が接続される第２継手部材の分岐管接続口部が、水使用機器と同じ側を向く。したがって、本発明による第１の混合水栓用分岐継手によれば、分岐管を接続すべき混合水栓の湯または水分岐孔とは反対の側に水使用機器が設置される場合でも、分岐管が折れ曲がらないので、分岐管が通水不良を起こしたり、分岐管が開閉バルブの操作ハンドルと干渉するといった問題が生じる恐れがない。また、本発明による第１の混合水栓用分岐継手によれば、第２継手部材の分岐孔閉栓部によって、使用しない方の分岐孔を塞ぐことができるので、該分岐孔を塞ぐ栓を別途用意する必要がなく、部品管理等も容易になる。
【０００９】
本発明による第１の混合水栓用分岐継手において、第１継手部材は、その他端部に、第２継手部材の分岐管接続口部に接続される分岐管とは別の分岐管の基端部を接続し得る分岐管接続口部を有しており、該接続口部が、これに着脱自在に取り付けられた閉鎖部材によって閉鎖されているのが好ましい。
【００１０】
第１継手部材が上記のような構成を有していれば、必要に応じて、更に別の水使用機器への分岐配管に容易に対応することができるので、便利である。また、上記の場合において、第１継手部材内に、連通孔に通じる流路と分岐管接続口部に通じる流路とに切り替える切替弁が設けられていてもよい。このような切替弁が第１継手部材に組み込まれていれば、配管中に切替弁を別途設ける必要がなく、便利である。
【００１１】
また、本発明による第１の混合水栓用分岐継手において、混合水栓の各分岐孔が雌ネジを有しており、該雌ネジにねじ込まれる雄ネジが第１継手部材の分岐孔接続口部および第２継手部材の分岐孔閉栓部に設けられ、第３継手部材は、その両端部に、第１継手部材および第２継手部材の長さ中間部が回動自在に嵌め入れられる接続筒部を有しているのが好ましい。
【００１２】
上記構成によれば、分岐継手の混合水栓への取付を専らネジ接合のみによって行うことができるので、取付作業が容易となり、施工性が向上する。また、上記構成によれば、第３継手部材の両接続筒部に第１継手部材および第２継手部材を嵌め込むことによって、分岐継手を簡単に組み立てることができる。上記の場合において、２つの接続筒部どうしは、連通管部によって互いに連通させられる。連通管部は、混合水栓に干渉しないように、Ｕ形や円弧形の金属管によって構成される他、フレキシブル管によって構成されてもよい。
【００１３】
本発明による第２の混合水栓用分岐継手は、一側部に開口した湯分岐孔および他側部に開口した水分岐孔のうち少なくとも一方を有する混合水栓のいずれか１つの分岐孔から、該分岐孔とは反対の側に設置される水使用機器へ配管する際に用いられるものであって、
一端部に前記分岐孔に接続される分岐孔接続口部を有し、他端部が閉鎖され、かつ長さ中間部に外周面に開口した連通孔を有する第１継手部材と、
一端部が前記連通孔に通じるように第１継手部材に接続され、この一端部から前記分岐孔とは反対の側に向かって折れ曲がり、かつ他端部に分岐管の基端部が接続される分岐管接続口部を有する第２継手部材とを備えている。
【００１４】
上記の混合水栓用分岐継手にあっては、分岐管の基端部が接続される第２継手部材の分岐管接続口部が、水使用機器と同じ側を向く。したがって、本発明による第２の混合水栓用分岐継手によれば、接続すべき混合水栓の湯または水分岐孔とは反対の側に水使用機器が設置される場合でも、分岐管が折れ曲がらないので、分岐管が通水不良を起こしたり、分岐管が開閉バルブの操作ハンドルと干渉するといった問題が生じる恐れがない。
【００１５】
本発明による第２の混合水栓用分岐継手において、第１継手部材は、その他端部に、第２継手部材の分岐管接続口部に接続される分岐管とは別の分岐管の基端部を接続し得る分岐管接続口部を有しており、該接続口部が、これに着脱自在に取り付けられた閉鎖部材によって閉鎖されているのが好ましい。
【００１６】
第１継手部材が上記のような構成を有していれば、必要に応じて、更に別の水使用機器への分岐配管に容易に対応することができるので、便利である。また、上記の場合において、第１継手部材内に、連通孔に通じる流路と分岐管接続口部に通じる流路とに切り替える切替弁が設けられていてもよい。このような切替弁が第１継手部材に組み込まれていれば、配管中に切替弁を別途設ける必要がなく、便利である。
【００１７】
また、本発明による第２の混合水栓用分岐継手において、混合水栓の前記分岐孔が雌ネジを有しており、該雌ネジにねじ込まれる雄ネジが第１継手部材の分岐孔接続口部に設けられ、第２継手部材は、その一端部に、第１継手部材の長さ中間部が回動自在に嵌め入れられる接続筒部を有しているのが好ましい。
【００１８】
上記構成によれば、分岐継手の混合水栓への取付を専らネジ接合のみによって行うことができるので、取付作業が容易となり、施工性が向上する。また、上記構成によれば、第２継手部材の接続筒部に第１継手部材を嵌め込むことによって、分岐継手を簡単に組み立てることができる。
【００１９】
本発明による第３の混合水栓用分岐継手は、一側部に開口した湯分岐孔および他側部に開口した水分岐孔のうち少なくとも一方を有する混合水栓のいずれか１つの分岐孔から、該分岐孔とは反対の側に設置される水使用機器へ配管する際に用いられるものであって、
一端部に前記分岐孔に接続される分岐孔接続口部を有し、他端部が閉鎖され、かつ長さ中間部に外周面に開口した連通孔を有する第１継手部材と、
一端部が前記連通孔に通じるように第１継手部材に接続され、この一端部から第１継手部材と交差する方向に延び、他端部が閉鎖され、かつ長さ中間部に外周面に開口した連通孔を有する第２継手部材と、
一端部に第２継手部材の長さ中間部が回動自在に嵌め入れられる接続筒部を有し、この一端部から前記分岐孔とは反対の側に向かって延び、かつ他端部に分岐管の基端部が接続される分岐管接続口部を有する第３継手部材とを備えている。
【００２０】
上記の混合水栓用分岐継手にあっては、分岐管の基端部が接続される第３継手部材の分岐管接続口部が、水使用機器と同じ側を向く。したがって、本発明による第３の混合水栓用分岐継手によれば、接続すべき混合水栓の湯または水分岐孔とは反対の側に水使用機器が設置される場合でも、分岐管が折れ曲がらないので、分岐管が通水不良を起こしたり、分岐管が開閉バルブの操作ハンドルと干渉するといった問題が生じる恐れがない。また、上記分岐継手の場合、その第３継手部材が第２継手部材に対して回動自在であるので、分岐管の配管位置に合わせて第３継手部材の分岐管接続口部の向きを上下方向に微調整することができ、また、接続すべき湯または水分岐孔と同じ側に水使用機器を移動させたい時にも、第３継手部材を反転させるだけで対応できるので、便利である。
【００２１】
本発明による第３の混合水栓用分岐継手において、第１継手部材は、その他端部に、第３継手部材の分岐管接続口部に接続される分岐管とは別の分岐管の基端部を接続し得る分岐管接続口部を有しており、該接続口部が、これに着脱自在に取り付けられた閉鎖部材によって閉鎖されているのが好ましい。
【００２２】
第１継手部材が上記のような構成を有していれば、必要に応じて、更に別の水使用機器への分岐配管に容易に対応することができるので、便利である。また、上記の場合において、第１継手部材内に、連通孔に通じる流路と分岐管接続口部に通じる流路とに切り替える切替弁が設けられていてもよい。このような切替弁が第１継手部材に組み込まれていれば、配管中に切替弁を別途設ける必要がなく、便利である。
【００２３】
また、本発明による第３の混合水栓用分岐継手において、混合水栓の前記分岐孔が雌ネジを有しており、該雌ネジにねじ込まれる雄ネジが第１継手部材の分岐孔接続口部に設けられ、第２継手部材は、その一端部に、第１継手部材の長さ中間部が回動自在に嵌め入れられる接続筒部を有しているのが好ましい。
【００２４】
上記構成によれば、分岐継手の混合水栓への取付を専らネジ接合のみによって行うことができるので、取付作業が容易となり、施工性が向上する。また、上記構成によれば、第３継手部材の両接続筒部に第１継手部材および第２継手部材を嵌め込むことによって分岐継手を組み立てることができ、組立作業が楽である。
【００２５】
【発明の実施の形態】
図１および２には、本発明の第１の実施形態が示されている。この実施形態は、本発明による第１の混合水栓用分岐継手を、台所の流し台における混合水栓から食器洗い機への分岐配管に使用したものである。
【００２６】
図１および２に示す混合水栓用分岐継手(101)は、左側部に開口した湯分岐孔(M1)および右側部に開口した水分岐孔(M2)を有する混合水栓(M)の水分岐孔(M2)から、該分岐孔(M2)とは反対の左側に設置される食器洗い機(D)へ配管する際に用いられている。この分岐継手(101)は、左端部に水分岐孔(M2)に接続される分岐孔接続口部(21)を有し、右端部が閉鎖され、かつ長さ中間部に周面に開口した連通孔(22)を有する第１継手部材(2)と、右端部に湯分岐孔(M1)に嵌め込まれる分岐孔閉栓部(31)を有し、左端部に分岐管(P)の基端部が接続される分岐管接続口部(32)を有し、かつ長さ中間部に周面に開口した連通孔(33)を有する第２継手部材(3)と、両端部が前記連通孔(33)に通じるように第１継手部材(2)および第２継手部材(3)に接続される第３継手部材(4)とを備えている。
【００２７】
混合水栓(M)は、図５〜７に示す従来例のそれと同じものであって、湯分岐孔(M1)および水分岐孔(M2)には、同じサイズの雌ネジ(M11)(M21)が設けられている。
【００２８】
第１継手部材(2)は、例えば銅鋳物やステンレス鋼から形成された略筒状のものである。第１継手部材(2)の分岐孔接続口部(21)は、混合水栓(M)の水分岐孔(M2)の雌ネジ(M21)にねじ込まれる雄ネジ(21a)を有している。第１継手部材(2)の周面の左端部寄りには、分岐孔接続口部(21)に隣接しかつ混合水栓(M)の水分岐孔(M2)周縁部に当接させられる環状段差(23)が形成されている。また、第１継手部材(2)は、その右端部に、第２継手部材(3)の分岐管接続口部(32)に接続される分岐管(P)とは別の分岐管(図示略）の基端部を接続し得る分岐管接続口部(24)を有しており、該接続口部(24)が、これに着脱自在に取り付けられた閉鎖部材(25)によって閉鎖されている。第１継手部材(2)の分岐管接続口部(24)は、雄ネジ(24a)を有している。閉鎖部材(25)は、前記雄ネジ(24a)にねじ嵌められる雌ネジ(25a)を有する袋ナットで構成されている。第１継手部材(2)の周面の長さ中間部には、環状溝(26)が形成されている。そして、この環状溝(26)の底部に、２つの連通孔(22)が対称位置に形成されている。したがって、第１継手部材(2)の分岐孔接続口部(21)を混合水栓(M)の水分岐孔(M2)に完全にねじ込んだ状態において、該部材(2)の周方向における連通孔(22)の位置にかかわらず、第１継手部材(2)および第３継手部材(4)の内部どうしが、前記環状溝(26)を通じて連通させられるようになっている。
【００２９】
第２継手部材(3)も、例えば銅鋳物やステンレス鋼から形成された略筒状のものである。但し、第２継手部材(3)の右端部は、該部材(3)と一体に形成された右端壁(30)により閉鎖されていて、分岐孔閉栓部(31)を構成している。分岐孔閉栓部(31)は、混合水栓(M)の湯分岐孔(M1)の雌ネジ(M11)にねじ込まれる雄ネジ(31a)を有している。第２継手部材(3)の周面の右端部寄りには、分岐孔閉栓部(31)に隣接しかつ混合水栓(M)の湯分岐孔(M1)周縁部に当接させられる環状段差(35)が形成されている。第２継手部材(3)の分岐管接続口部(32)は、雄ネジ(32a)を有している。この分岐管接続口部(32)には、一端部に分岐管接続口部(32)の雄ネジ(32a)にねじ嵌められる袋ナット(601)を有しかつ他端部に雄型継手（図示略）を有する開閉バルブ(600)を介して、雌型継手(P1)を有する分岐管(P)の基端部が着脱自在に接続されている（図２参照）。第２継手部材(3)の周面の長さ中間部には、環状溝(34)が形成されている。そして、この環状溝(34)の底部に、２つの連通孔(33)が対称位置に形成されている。したがって、第２継手部材(3)の分岐孔閉栓部(31)を混合水栓(M)の湯分岐孔(M1)に完全にねじ込んだ状態において、該部材(3)の周方向における連通孔(33)の位置にかかわらず、第２継手部材(3)および第３継手部材(4)の内部どうしが、前記環状溝(34)を通じて連通させられるようになっている。
【００３０】
第３継手部材(4)は、平面より見て略Ｕ形のものであって、その左右両端部に、第１継手部材(2)および第２継手部材(3)の長さ中間部が回動自在に嵌め入れられる接続筒部(41)を有している。２つの接続筒部(41)どうしは、Ｕ形の金属管よりなる連通管部(42)によって互いに連通させられている。右側の接続筒部(41)と第１継手部材(2)との間、および左側の接続筒部(41)と第２継手部材(3)との間は、それぞれＯリングよりなるシール部材(27)(37)によりシールされている。右側の接続筒部(41)は、その左端面が混合水栓(M)の右側面に当接させられていると共に、その右端面が第１継手部材(2)の周面の右端部寄りに形成された環状段差(28)に当接させられている。同様に、左側の接続筒部(41)は、その右端面が混合水栓(M)の左側面に当接させられていると共に、その左端面が第２継手部材(3)の周面の左端部寄りに形成された環状段差(38)に当接させられている。
【００３１】
上記分岐継手(101)の組立および混合水栓(M)への取付は、例えば次のようにして行うことができる。即ち、まず、第３継手部材(4)を、その左側の接続筒部が混合水栓(M)の湯分岐孔(M1)に合致し、かつその右側の接続筒部(41)が混合水栓(M)の水分岐孔(M2)に合致するように、一方の手で保持しておく。そして、もう他方の手で、第２継手部材(3)を左側の接続筒部(41)に嵌め込んでいって、第２継手部材(3)の分岐孔閉栓部(31)を湯分岐孔(M1)にねじ込む。同様に、第１継手部材(2)を右側の接続筒部(41)に嵌め込んでいって、第１継手部材(2)の分岐孔接続口(21)を水分岐孔(M2)にねじ込む。こうして、分岐継手(101)が組み立てられるとともに、分岐継手(101)が混合水栓(M)に取り付けられる。
【００３２】
上記分岐継手(101)を用いて混合水栓(M)の右側の水分岐孔(M2)からこれとは反対の左側に位置する食器洗い機(D)への配管を行えば、図２に示すように、分岐管(P)に折れ曲がる箇所が生じない。したがって、分岐管(P)に通水不良が起こる心配がない上、分岐管(P)が開閉バルブ(600)のハンドル(602)に干渉せず、見栄えもよい。
【００３３】
なお、この実施形態では、本発明による第１の混合水栓用分岐継手を、混合水栓の水分岐孔から食器洗い機への配管に使用しているが、混合水栓の湯分岐孔からこれとは反対の側に設置される水使用機器への配管に使用することも勿論可能である。
【００３４】
図３には、本発明の第２の実施形態が示されている。この実施形態は、本発明による第２の混合水栓用分岐継手を、台所の流し台における混合水栓から食器洗い機への分岐配管に使用したものである。
【００３５】
図３の混合水栓用分岐継手(102)も、左側部に開口した湯分岐孔(M1)および右側部に開口した水分岐孔(M2)を有する混合水栓(M)の水分岐孔(M2)から、該分岐孔(M2)とは反対の左側に設置される食器洗い機(D)へ配管する際に用いられている（図２参照）。この分岐継手(102)は、左端部に水分岐孔(M2)に接続される分岐孔接続口部(21)を有し、右端部が閉鎖され、かつ長さ中間部に周面に開口した連通孔(22)を有する第１継手部材(2)と、右端部が前記連通孔(22)に通じるように第１継手部材(2)に接続され、この右端部から水分岐孔(M2)とは反対の左側に向かって折れ曲がり、かつ左端部に分岐管の基端部が接続される分岐管接続口部(51)を有する第２継手部材(5)とを備えている。
【００３６】
第１継手部材(2)は、図１および２に示す第１の実施形態のそれと同じ構造を有している。
【００３７】
第２継手部材(5)は、平面より見て略Ｌ形のものであって、その左端部に、第１継手部材(2)の長さ中間部が回動自在に嵌め入れられる接続筒部(52)を有している。接続筒部(52)と分岐管接続口部(51)とは、Ｌ形の金属管よりなる連通管部(53)によって互いに連通状に接続されている。接続筒部(52)と第１継手部材(2)との間は、Ｏリングよりなるシール部材(27)によりシールされている。接続筒部(52)は、その左端面が混合水栓(M)の右側面に当接させられていると共に、その右端面が第１継手部材(2)の周面の右端部寄りに形成された環状段差(28)に当接させられている。分岐管接続口部(51)は、雄ネジ(51a)を有している。この分岐管接続口部(51)には、一端部に分岐管接続口部(51)の雄ネジ(51a)にねじ嵌められる袋ナット(601)を有しかつ他端部に雄型継手を有する開閉バルブ(600)を介して、雌型継手(P1)を有する分岐管(P)の基端部が着脱自在に接続されるようになっている（図２参照）。
【００３８】
上記分岐継手(102)の組立および混合水栓(M)への取付は、例えば次のようにして行うことができる。即ち、まず、第１継手部材(2)を第２継手部材(5)の接続筒部(52)に嵌め込んで、分岐継手(102)を組み立てる。次いで、第２継手部材(5)を一方の手で保持しながら、他方の手で第１継手部材(2)の分岐孔接続口部(21)を混合水栓(M)の水分岐孔(M2)にねじ込む。こうして、分岐継手(102)が混合水栓(M)に取り付けられる。なお、混合水栓(M)の湯分岐孔(M1)は、これにねじ込まれた栓(P)により閉鎖されている。
【００３９】
上記分岐継手(102)を用いて混合水栓(M)の右側の水分岐孔(M2)からこれとは反対の左側に位置する食器洗い機(D)への配管を行えば、図２に示す第１の実施形態の場合と同様に、分岐管(P)に折れ曲がる箇所が生じない。したがって、分岐管(P)に通水不良が起こる心配がない上、分岐管(P)が開閉バルブ(600)のハンドル(602)に干渉せず、見栄えもよい。
【００４０】
なお、この実施形態では、本発明による第２の混合水栓用分岐継手を、混合水栓の水分岐孔から食器洗い機への配管に使用しているが、混合水栓の湯分岐孔からこれとは反対の側に設置される水使用機器への配管に使用することも勿論可能である。
【００４１】
図４には、本発明の第３の実施形態が示されている。この実施形態は、本発明による第３の混合水栓用分岐継手を、台所の流し台における混合水栓から食器洗い機への分岐配管に使用したものである。
【００４２】
図４の混合水栓用分岐継手(103)も、左側部に開口した湯分岐(M1)および右側部に開口した水分岐孔(M2)を有する混合水栓(M)の水分岐孔(M2)から、該分岐孔(M2)とは反対の左側に設置される食器洗い機(D)へ配管する際に用いられている（図２参照）。この分岐継手(103)は、左端部に水分岐孔(M2)に接続される分岐孔接続口部(21)を有し、右端部が閉鎖され、かつ長さ中間部に周面に開口した連通孔(22)を有する第１継手部材(2)と、前端部が前記連通孔(22)に通じるように第１継手部材(2)に接続され、この前端部から第１継手部材(2)と交差する方向、即ち、後方に延び、後端部が閉鎖され、かつ長さ中間部に外周面に開口した連通孔(61)を有する第２継手部材(6)と、右端部に第２継手部材(6)の長さ中間部が回動自在に嵌め入れられる接続筒部(71)を有し、この右端部から水分岐孔(M2)とは反対の左側に向かって延び、かつ左端部に分岐管の基端部が接続される分岐管接続口部(72)を有する第３継手部材(7)とを備えている。
【００４３】
第１継手部材(2)は、図１および２に示す第１の実施形態のそれと同じ構造を有している。
【００４４】
第２継手部材(6)は、その左端部に、第１継手部材(2)の長さ中間部が回動自在に嵌め入れられる接続筒部(62)を有している。接続筒部(62)と第１継手部材(2)との間は、Ｏリングよりなるシール部材(27)によりシールされている。接続筒部(62)は、その左端面が混合水栓(M)の右側面に当接させられていると共に、その右端面が第１継手部材(2)の外周面の右端部寄りに形成された環状段差(28)に当接させられている。第２継手部材(6)の後端部に雌ネジ(63)が設けられ、該雌ネジ(63)にフランジ(64a)付きナットよりなる閉鎖部材(64)がねじ込まれることにより、第２継手部材(6)の後端部が閉鎖されている。連通孔(61)は、第２継手部材(6)の長さ中間部の対称位置に計２つ設けられている。
【００４５】
第３継手部材(7)の接続筒部(71)と分岐管接続口部(72)とは、金属管よりなる連通管部(73)によって互いに連通状に接続されている。連通管部(73)は、混合水栓(M)と干渉しないように若干クランク形に屈曲させられている。第３継手部材(7)の接続筒部(71)内周面における第２継手部材(6)の連通孔(61)に対応する箇所には、環状溝(71a)が形成されている。したがって、第２継手部材(6)に対する第３継手部材(7)の回動位置にかかわらず、第２継手部材(6)および第３継手部材(7)の内部どうしが、環状溝(71a)を通じて連通させられるようになっている。接続筒部(71)と第２継手部材(6)との間は、Ｏリングよりなるシール部材(65)によりシールされている。接続筒部(71)は、第２継手部材(6)の閉鎖部材(64)を構成するナットのフランジ(64a)によって、第２継手部材(6)から抜け落ちないようになされている。分岐管接続口部(72)は、雄ネジ(72a)を有している。この分岐管接続口部(72)には、一端部に分岐管接続口部(72)の雌ネジ(72a)にねじ嵌められる袋ナット(601)を有しかつ他端部に雄型継手を有する開閉バルブ(600)を介して、雌型継手(P1)を有する分岐管(P)の基端部が接続されるようになっている（図２参照）。
【００４６】
上記の分岐継手(103)の組立および混合水栓(M)への取付は、例えば次のようにして行うことができる。即ち、まず、第１継手部材(2)を第２継手部材(6)の接続筒部(62)に嵌め込む。次に、第２継手部材(62)の後端部から閉鎖部材(64)を外しておいてから、第２継手部材(6)を第３継手部材(7)の接続筒部(71)に嵌め込んだ後、第２継手部材(6)の後端部に閉鎖部材(64)をねじ込む。こうして、分岐継手(103)が組み立てられる。そして、第２継手部材(6)および第３継手部材(7)を一方の手で保持しながら、他方の手で第１継手部材(2)の分岐孔接続口部(21)を混合水栓(M)の水分岐孔(M2)にねじ込むことにより、分岐継手(103)が混合水栓(M)に取り付けられる。混合水栓(M)の湯分岐孔(M1)は、これにねじ込まれた栓(P)により閉鎖されている。
【００４７】
上記分岐継手(103)を用いて混合水栓(M)の右側の水分岐孔(M2)からこれとは反対の左側に位置する食器洗い機(D)への配管を行えば、図２に示す第１の実施形態の場合と同様に、分岐管(P)に折れ曲がる箇所が生じない。したがって、分岐管(P)に通水不良が起こる心配がない上、分岐管(P)が開閉バルブ(600)のハンドル(602)に干渉せず、見栄えもよい。また、上記分岐継手(103)の場合、第３継手部材(7)が第２継手部材(6)に対して回動自在であるので、分岐管(P)の配管位置に合わせて第３継手部材(7)の分岐管接続口部(72)の向きを上下方向に微調整することができる。
【００４８】
なお、この実施形態では、本発明による第２の混合水栓用分岐継手を、混合水栓の水分岐孔から食器洗い機への配管に使用しているが、混合水栓の湯分岐孔からこれとは反対の側に設置される水使用機器への配管に使用することも勿論可能である。この場合、図４に２点鎖線で示すように、第３継手部材(7)を１８０度回転させるだけで対応できるので、きわめて便利である。
【００４９】
上記の各実施形態はあくまでも例示にすぎず、特許請求の範囲に記載された本発明の要旨を逸脱しない範囲で適宜に変更を加えた上で本発明を実施することも勿論可能である。
【図面の簡単な説明】
【図１】本発明の第１の実施形態を示すものであって、本発明による第１の混合水栓用分岐継手を混合水栓に取り付けた状態を示す水平断面図である。
【図２】上記分岐継手を用いた、台所の流し台における混合水栓から食器洗い機への分岐配管構造を示す平面図である。
【図３】本発明の第２の実施形態を示すものであって、本発明による第２の混合水栓用分岐継手を混合水栓に取り付けた状態を示す水平断面図である。
【図４】本発明の第３の実施形態を示すものであって、本発明による第３の混合水栓用分岐継手を混合水栓に取り付けた状態を示す水平断面図である。
【図５】台所の流し台における混合水栓から食器洗い機への分岐配管構造の従来例を示す垂直断面図である。
【図６】上記従来例を示す分岐継手および混合水栓の水平断面図である。
【図７】上記従来例を示す平面図である。
【符号の説明】
(M)：混合水栓
(M1)：湯分岐孔
(M11)：雌ネジ
(M2)：水分岐孔
(M21)：雌ネジ
(D)：食器洗い機(水使用機器)
(P)：分岐管
(101)：混合水栓用分岐継手
(2)：第１継手部材
(21)：分岐孔接続口部
(21a)：雄ネジ
(22)：連通孔
(24)：分岐管接続口部
(25)：閉鎖部材
(3)：第２継手部材
(31)：分岐孔閉栓部
(31a)：雄ネジ
(32)：分岐管接続口部
(33)：連通孔
(4)：第３継手部材
(41)：接続筒部
(102)：混合水栓用分岐継手
(5)：第２継手部材
(51)：分岐管接続口部
(52)：接続筒部
(103)：混合水栓用分岐継手
(6)：第２継手部材
(61)：連通孔
(62)：接続筒部
(7)：第３継手部材
(71)：接続筒部
(72)：分岐管接続口部
【図１】
0004235764.tif 000002
【図２】
0004235764.tif 000003
【図３】
0004235764.tif 000004
【図４】
0004235764.tif 000005
【図５】
0004235764.tif 000006
【図６】
0004235764.tif 000007
【図７】
0004235764.tif 000008